(57)【要約】【課題】結露を防止すると共に、騒音の発生を低く抑えることができる天井埋込形空気調和機を得る。【解決手段】天井埋込形空気調和機１００は、ドレンパン５のドレンパン吹出風路側側壁５ａ１の上方および本体側板１０ｂ側を、所定の間隔を空けて覆うエアーガイド１８を有する。エアーガイド１８が、平坦なエアーガイド入口導入部１８ａと、曲面状のエアーガイドコーナー部１８ｂと、平坦なエアーガイド吹出部１８ｃと、を具備し、エアーガイド入口導入部１８ａが高さ方向で、ターボファン１の吹出口１ｂの下端１ｂａとドレンパン吹出風路側側壁５ａ１の上端５ａ３との間に位置し、且つ、エアーガイド入口導入部１８ａの入口先端部１８ａ１が水平方向で、熱交換器１６の下流側の面１６ａの近傍に位置し、エアーガイド吹出部１８ｃの下端が高さ方向で、ドレンパン吹出風路側側壁５ａ１の上端よりも下に位置する。【選択図】図４
2010038490.tif 000002
【特許請求の範囲】
【請求項１】
天井裏に埋設される、本体天板と本体側板とから形成され下方が開口した函状の本体と、
該本体内に収容され、前記本体天板の中央に固定されたターボファンと、
前記本体内に収容され、前記ターボファンを囲むように設置された熱交換器と、
該本体内に収容され、前記熱交換器の下端部が侵入した樋状のドレンパンと、
該ドレンパンの前記本体側板寄りの側壁であるドレンパン吹出風路側側壁の上方および前記本体側板側を、所定の間隔を空けて覆うエアーガイドと、
前記本体の下方を覆い、中央部に形成されたパネル吸込口と、周縁寄りに形成されたパネル吹出口と、を具備する化粧パネルと、
を有し、
前記エアーガイドが、平坦なエアーガイド入口導入部と、該エアーガイド入口導入部に連続する曲面状のエアーガイドコーナー部と、該エアーガイドコーナー部に連続する平坦なエアーガイド吹出部と、を具備し、
前記エアーガイド入口導入部が高さ方向で、前記ターボファンの吹出口の下端と前記ドレンパン吹出風路側側壁の上端との間に位置し、且つ、前記エアーガイド入口導入部の入口先端部が水平方向で、前記熱交換器の下流側の面の近傍に位置し、
前記エアーガイド吹出部の下端が高さ方向で、前記ドレンパン吹出風路側側壁の上端よりも下に位置することを特徴とする天井埋込形空気調和機。
【請求項２】
前記エアーガイドのエアーガイド入口導入部の高さが、前記ドレンパンの長手方向において、相違することを特徴とする請求項１記載の天井埋込形空気調和機。
【請求項３】
前記エアーガイドのエアーガイド吹出部は、前記ドレンパン吹出風路側側壁と所定距離だけ離れた位置に前記本体側板と略平行となる下方に向かって延設され、
前記エアーガイドのエアーガイドコーナー部が、前記本体側板に向かって凸となる単一円弧状曲面または複数円弧状曲面に形成されてなることを特徴とする請求項１または２記載の天井埋込形空気調和機。
【請求項４】
前記エアーガイド入口導入部の入口先端部と前記ドレンパン吹出風路側側壁の上端との距離（Ｈ１）が、前記ドレンパン吹出風路側側壁の前記エアーガイド側の表面と前記エアーガイド吹出部の前記ドレンパン側の表面との最近接距離（Ｌ２）、および前記ドレンパン吹出風路側側壁の前記エアーガイド側の表面と前記エアーガイドコーナー部の前記ドレンパン側の表面との最近接距離（Ｌ３）に比べ広くなるように（Ｈ１＞Ｌ２、且つ、Ｈ１＞Ｌ３）形成されてなることを特徴とする請求項１乃至３の何れかに記載の天井埋込形空気調和機。
【請求項５】
前記ターボファンは、前記熱交換器に対し積幅方向の水平方向に回転し、
前記エアーガイドのエアーガイド入口導入部の高さが、前記熱交換器と前記ターボファンの最近接点を基準にして前記ターボファンの回転方向上流側の方が、回転方向下流側よりも高くなるように形成されてなることを特徴とする請求項１乃至４の何れかに記載の天井埋込形空気調和機。
【請求項６】
前記エアーガイドに、前記エアーガイドを前記ドレンパン吹出風路側側壁に設置するためのエアーガイド取付部が、前記エアーガイドの長手方向の少なくとも両端部に設けられ、
該エアーガイド取付部は水平方向で、前記エアーガイド入口導入部の入口先端部よりも前記熱交換器側に突出することがなく、且つ、該エアーガイド取付部と前記エアーガイドと前記ドレンパン吹出風路側側壁とによって囲まれた風路が形成されてなることを特徴とする請求項１乃至５の何れかに記載の天井埋込形空気調和機。
【請求項７】
前記エアーガイドのエアーガイド入口導入部は水平方向で、前記入口側端部から前記ドレンパン吹出風路側側壁の最上端部の直上に相当する位置まで平坦形状であることを特徴とする請求項１乃至６の何れかに記載の天井埋込形空気調和機。
【請求項８】
前記エアーガイドの長手方向の端部は、前記ドレンパンの吹出部の長手方向の端部に対し所定距離の隙間を形成するように離れて配設されたことを特徴とする請求項１乃至７の何れかに記載の天井埋込形空気調和機。
【請求項９】
前記ドレンパン吹出風路側側壁の前記エアーガイド吹出部に対峙する上端寄りの面に対し、前記ドレンパン吹出風路側側壁の前記エアーガイド吹出部に対峙しない下端寄りの面が前記熱交換器寄りに形成され、
前記上端寄りの面と前記下端寄りの面との間に略水平な段差が形成されてなることを特徴とする請求項１乃至８の何れかに記載の天井埋込形空気調和機。
【請求項１０】
前記ドレンパンを形成する外側風路壁は、前記ドレンパン吹出風路側側壁に取付けられた状態の前記エアーガイドの前記エアーガイド入口導入部と、略同等の高さになるように形成されてなることを特徴とする請求項１乃至９の何れかに記載の天井埋込形空気調和機。
【請求項１１】
前記ドレンパンを形成する外側風路壁は、前記ドレンパン吹出風路側側壁に取付けられた状態の前記エアーガイドの前記エアーガイド入口導入部よりも高くなるように形成されてなることを特徴とする請求項１乃至９の何れかに記載の天井埋込形空気調和機。
【請求項１２】
前記ドレンパンの４つの角部が、前記ドレンパン吹出風路側側壁に取付けられた状態の前記エアーガイドに対し、同等高さになるように、またはより高くなるように形成され、
かつ、前記ドレンパンの４つの角部以外の外側風路壁は、前記エアーガイド入口導入部よりも低くなるように形成され、
前記ドレンパンを形成する外側風路壁と、前記本体側板に設置された本体断熱材とが、凸凹状にかみ合うように形成されてなることを特徴とする請求項１乃至１１の何れかに記載の天井埋込形空気調和機。
【請求項１３】
前記エアーガイドの少なくとも前記本体側板側の面に、前記エアーガイド入口導入部から前記エアーガイド吹出部にかけて溝が形成されてなることを特徴とする請求項１乃至１２の何れかに記載の天井埋込形空気調和機。
【請求項１４】
前記エアーガイドのエアーガイドの吹出部の出口側端部に、矩形または略三角形の切欠きが形成されてなることを特徴とする請求項１乃至１３の何れかに記載の天井埋込形空気調和機。
【請求項１５】
前記ドレンパン吹出風路側側壁の長手方向に沿って、２以上の前記エアーガイドが配設されてなることを特徴とする請求項１乃至１４の何れかに記載の天井埋込形空気調和機。
【請求項１６】
前記エアーガイド入口導入部の入口先端部が、長手方向にわたり断面略円弧形状に形成されてなることを特徴とする請求項１乃至１５の何れかに記載の天井埋込形空気調和機。
【請求項１７】
前記エアーガイド入口導入部の入口先端部が、長手方向にわたり高さ方向で波形に形成されてなることを特徴とする請求項１乃至１５の何れかに記載の天井埋込形空気調和機。
【発明の詳細な説明】
【技術分野】
【０００１】
本発明は天井埋込形空気調和機、特に、天井裏に埋設された本体と、天井面と略同一面に設置された化粧パネルとを有する天井埋込形空気調和機に関する。
【背景技術】
【０００２】
従来、天井埋込形空気調和機は、省エネ化や低騒音化のため、熱交換器の吹出面からパネル吹出口に至る吹出風路にエアーガイドを設ける発明が知られている。
例えば、エアーガイドを熱交換器のフィン間に挿入して、吹出風路を主流と副流とに２分し、吹出風路の内側となる熱交換器側で生じる副流が、主流を外壁側に押しやることによって、有効風路の縮小による圧力損失の増大を抑制する発明が開示されている（例えば、特許文献１参照）。
また、ドレンパンに支持され、側壁と略平行になるように設置されたエアーガイドを有する発明が開示されている（例えば、特許文献２参照）。
【０００３】
【特許文献１】特開２０００−１９３２６４号公報（第３−４頁、第１図）
【特許文献２】特開２００３−７４９６０号公報（第２−４頁、第１図）
【発明の開示】
【発明が解決しようとする課題】
【０００４】
前記特許文献１に開示された発明は、副流が主流を外壁側に押しやり有効風路の縮小を抑制可能であるものの、副流の流速は主流の流速に比較して小さく、吹出風路の熱交換器側から外壁側方向に大きな風速差が生じる。このため、吹出風路の圧力損失が増加し、ファンモータ動力の増加や騒音も増大するという問題があった。
また、エアーガイドを熱交換器のフィン間に挿入するため、熱交換器に結露した凝縮水が、エアーガイドを伝わってパネル吹出口より部屋へ滴下し床を汚す恐れがあるという問題があった。
【０００５】
さらに、前記特許文献２に開示された発明は、ドレンパンの底部から側壁最上端に向かいドレンパン表面を増速しながら上昇する流れを抑制することができず、この上昇する流れによってドレンパン近傍の熱交換器通過後の流れが上方へ押やられる。このため、ドレンパンの吹出口側面での剥離渦を抑制しようとすると、エアーガイドをドレンパン側壁最上端よりも大きく突出した形態にする必要があるという問題があった。
また、ドレンパン側壁最上端部における剥離が抑制できないため、騒音が高くなるという問題があった。
【０００６】
本発明は上述のような問題を解消するものであって、結露を防止すると共に、騒音の発生を低く抑えることができる天井埋込形空気調和機を得ることを目的とする。
【課題を解決するための手段】
【０００７】
本発明に係る天井埋込形空気調和機は、天井裏に埋設される、本体天板と本体側板とから形成され下方が開口した函状の本体と、
該本体内に収容され、前記本体天板の中央に固定されたターボファンと、
前記本体内に収容され、前記ターボファンを囲むように設置された熱交換器と、
該本体内に収容され、前記熱交換器の下端部が侵入した樋状のドレンパンと、
該ドレンパンの前記本体側板寄りの側壁であるドレンパン吹出風路側側壁の上方および前記本体側板側を、所定の間隔を空けて覆うエアーガイドと、
前記本体の下方を覆い、中央部に形成されたパネル吸込口と、周縁寄りに形成されたパネル吹出口と、を具備する化粧パネルと、
を有し、
前記エアーガイドが、平坦なエアーガイド入口導入部と、該エアーガイド入口導入部に連続する曲面状のエアーガイドコーナー部と、該エアーガイドコーナー部に連続する平坦なエアーガイド吹出部と、を具備し、
前記エアーガイド入口導入部が高さ方向で、前記ターボファンの吹出口の下端と前記ドレンパン吹出風路側側壁の上端との間に位置し、且つ、前記エアーガイド入口導入部の入口先端部が水平方向で、前記熱交換器の下流側の面の近傍に位置し、
前記エアーガイド吹出部の下端が高さ方向で、前記ドレンパン吹出風路側側壁の上端よりも下に位置することを特徴とする。
【発明の効果】
【０００８】
本発明の天井埋込形空気調和機によれば、エアーガイドのエアーガイド入口導入部が高さ方向で、ドレンパンを形成するドレンパン吹出風路側側壁の上端よりも上方に位置し、且つ、ターボファンの吹出口の下端部よりも下方に位置している。このため、エアーガイドが、熱交換器に直接ターボファンから熱交換器に向けて直接送風された主流の通風抵抗とならず、熱交換器を通過できずにターボファンと熱交換器との間を旋回しながら循環して熱交換器を通過する副流の内ドレンパン近傍の流れのみを整流するから、ターボファンへの通風抵抗が低減され、ファンモータ動力の低減を図ることができる。
また、エアーガイド入口導入部は、その入口先端部が熱交換器の下流側の表面近傍から所定距離だけ離れ、ドレンパン吹出風路側側壁の上方を覆っているから、ドレンパンの底部からドレンパン吹出風路側側壁に沿って増速しながら上昇する流れを、受け止めて上昇を食い止めると共に、エアーガイドコーナー部およびエアーガイド吹出部に沿って、下降する流れにすることができる。すなわち、熱交換器を通過してきた主流れを上方へ押しやることがなく、副流によるドレンパン側壁における剥離渦を抑制することができる。
さらに、熱交換器の凝縮水が直接伝わる場合や、熱交換器から直接伝熱し冷却されたエアーガイド自体が結露した場合でも、部屋へ露が滴下することを防止できる。
さらに、エアーガイドが一体に取り付けられているドレンパンを積み上げ保管するとき、エアーガイドがドレンパンに突き刺さることがないため、ドレンパンの破損が防止され、組立て後に水漏れが発生することがない。
よって、省エネ効果および低騒音効果を奏する、品質の高い天井埋込形空気調和機が得られる。
【発明を実施するための最良の形態】
【０００９】
［実施の形態１：天井埋込形空気調和機］ 
以下、本発明の実施の形態１に係る天井埋込形空気調和機について図を用いて説明する。なお、各図において同じ部分または相当する部分には同じ符号を付している。
図１〜８は本発明の実施の形態１に係る天井埋込形空気調和機を説明するものであって、図１は部屋設置時の外観図、図２は図１に示す天井埋込形空気調和機の水平断面図、図３は図１に示す天井埋込形空気調和機の縦断面図（図２に示す水平断面図のＸ−Ｘ断面における断面図）、図４は図３の一部（吹出風路）の部分拡大図、図５は図４の一部（エアーガイド付近）の部分拡大図、図６は図５に示すエアーガイドをエアーガイド内側壁面から見た斜視図、図７は図５に示すエアーガイドをエアーガイド外側壁面側から見た斜視図、図８は図１に示す天井埋込形空気調和機の部分（ドレンパン）を示す縦断面図（図２に示す水平断面図のＸ−Ｏ−Ｙ−Ｚ断面における断面図）である。
【００１０】
（本体）
図１および図３において、天井埋込形空気調和機（以下、「空気調和機」と称す）１００は、天井裏９２に埋設された本体１０と、本体１０の一面を覆う化粧パネル１１とを有している。本体１０は一面が開放された函体であって、矩形状の本体天板１０ａと、本体天板１０ａに接続された４枚の本体側板１０ｂと、から形成されている。
化粧パネル１１は略四角形の板状であって、本体天板１０ａと平行に配置され、部屋９０の天井９１に接するように取り付けられ、部屋９０に面している。そして、化粧パネル１１の中央付近には、本体１０への空気の吸込口である吸込グリル１１ａが形成され、化粧パネル１１の外周寄りには、本体１０からの空気の吹出口であるパネル吹出口１１ｂが、各辺に沿って形成されている。
また、吸込グリル１１ａの下流側（本体１０側）には、吸込グリル１１ａを通過した後の空気を除塵するフィルタ１２が設置され、パネル吹出口１１ｂには、風向きを調整する風向ベーン１３が設置されている。
【００１１】
（ドレンパン）
図２または図３において、本体１０の内部には、本体天板１０ａの中央に固定されたファンモータ１５と、ファンモータ１５によって回転駆動されるターボファン１と、ターボファン１の吸込風路を形成するベルマウス１４と、ターボファン１の外周側を囲むように平面視で略四角形状（一部が軸方向に沿って開口した断面矩形の筒状）に形成された熱交換器１６と、がそれぞれ設置されている。
熱交換器１６は、図示しない接続配管によって図示しない室外機に接続されている。
また、熱交換器１６の下方には熱交換器１６に着露した凝縮水を受けるためのドレンパン５が配設されている。ドレンパン５は、凝縮水を受けるように側壁を有する凹形状のドレンパン樋部５ａ（図４参照）と、本体吹出口１０ｄを構成するドレンパン吹出部５ｂと、を有している。
【００１２】
（吹出風路）
そして、本体天板１０ａおよび本体側板１０ｂの内面には、これに沿うように本体断熱材１０ｅが設置され、本体断熱材１０ｅにそって吹出風路１０ｆが形成されている。また、ドレンパン吹出部５ｂと吹出風路１０ｆとによって外側風路壁１０ｆ１が構成されている。
なお、吹出風路１０ｆの上流側は、本体１０の下面中央部に設置された本体吸込口１０ｃに、さらに、化粧パネル１１の中央部に形成された吸込グリル１１ａに連通している。また、吹出風路１０ｆの下流側（吹出側）は、化粧パネル１１の周囲寄りに形成されたパネル吹出口１１ｂに連通している。
【００１３】
（エアーガイド）
図４に、ファン吹出口１ｂから熱交換器１６までのファン吹出風路２と、熱交換器１６を通り本体吹出口１０ｄに至るまでのエルボ形状の吹出風路１０ｆと、が拡大して示されている。図４において、ドレンパン樋部５ａのドレンパン吹出風路側側壁５ａ１には、エアーガイド１８がファン吹出口１ｂのファン吹出口下端部１ｂａよりも下方に取付られている。
【００１４】
図５〜図７において、エアーガイド１８は、熱交換器１６側と下方とが開口し、熱交換器１６に略垂直な（略水平に同じ）エアーガイド入口導入部１８ａと、熱交換器１６に略平行な（略鉛直に同じ）エアーガイド外側壁面１８ｆと、エアーガイド入口導入部１８ａとエアーガイド外側壁面１８ｆとを滑らかに連結する断面円弧状のエアーガイドコーナー部１８ｂ、とを有している。そして、エアーガイド入口導入部１８ａおよびエアーガイド外側壁面１８ｆの両方に直交し、エアーガイド入口導入部１８ａ、エアーガイドコーナー部１８ｂおよびエアーガイド外側壁面１８ｆのそれぞれに接合されたエアーガイド取付部１８ｄが、所定間隔で配置されている。
【００１５】
すなわち、エアーガイド入口導入部１８ａの入口先端部１８ａ１は、鉛直方向でドレンパン樋部５ａのドレンパン吹出風路側側壁５ａ１のドレンパン側壁最上端５ａ３から上方(本体天板１０ａの方向）に所定距離Ｈ１だけ離れ、水平方向の外側（本体側板１０ｂの方向）で熱交換器１６の熱交換器下流側表面１６ａから所定距離Ｌ１だけ離れている。なお、エアーガイド入口導入部１８ａの入口先端部１８ａ１は、熱交換器１６に対峙する側が円弧になるように、長手方向（水平方向）に渡って略円弧状（略円柱状）に形成されている（図６参照）。
【００１６】
（エアーガイド吹出部）
エアーガイド外側壁面１８ｆの下端寄りの範囲は、ドレンパン樋部５ａのドレンパン吹出風路側側壁５ａ１に略平行であって、所定の水平距離Ｌ２だけ離れている。すなわち、エアーガイド外側壁面１８ｆの下端寄りの範囲とドレンパン吹出風路側側壁５ａ１とに挟まれたエアーガイド吹出部１８ｃが形成されている。
つまり、エアーガイド吹出部１８ｃは、本体吹出口１０ｄへ向け、ドレンパン吹出部５ｂのドレンパン吹出部側壁表面５ｂ１と略平行となるように延出し、高さ方向でドレンパン樋部５ａとドレンパン樋部５ａのドレンパン側壁最上端部５ａ３との間で、ドレンパン吹出風路側側壁５ａ１の吹出風路１０ｆの側面に吹出口短手寸法が拡大する方向の段差５ｄを有し、ドレンパン吹出部５ｂのエアーガイド吹出部出口側端部１８ｃ１は段差５ｄと略同じ高さとなるように形成されている。
【００１７】
さらに、エアーガイドコーナー部１８ｂはエアーガイド入口導入部１８ａ、エアーガイド吹出部１８ｃと連接し、外方へ凸となる曲面で形成され、エアーガイド１８から延出したエアーガイド取付部１８ｄにより、ドレンパン樋部５ａのドレンパン吹出風路側側壁５ａ１に固着されている（図５および図６参照）。
また、エアーガイド入口導入部１８ａとドレンパン樋部５ａのドレンパン吹出風路側側壁５ａ１のドレンパン側壁最上端５ａ３との距離Ｈ１は、ドレンパン吹出風路側側壁５ａ１とエアーガイド吹出部１８ｃとの最近接距離Ｌ２、およびドレンパン吹出風路側側壁５ａ１とエアーガイドコーナー部１８ｂとの最近接距離Ｌ３との関係が、「Ｈ１＞Ｌ３≧Ｌ２」となるように少なくともエアーガイド入口導入部１８ａからエアーガイドコーナー部１８ｂで徐々に縮小するように形成されている。
さらに、エアーガイド１８の本体側板１０ｂ側へ面するエアーガイド外側壁面１８ｆにはエアーガイド入口導入部１８ａからエアーガイド吹出部１８ｃにかけ延出する凹状の溝６が形成されている（図６および図７参照）。
【００１８】
そして、エアーガイド取付部１８ｄは、エアーガイド入口導入部の入口先端部１８ａ１から熱交換器１６側へ突出せず、少なくともエアーガイド１８の長手方向両端部１８ｅに有し、吹出風路１０ｆをエアーガイド１８とドレンパン吹出風路側側壁５ａ１とで囲まれる内側風路Ｂ１とその他の外側風路Ｂ２とで分離するように形成され、かつエアーガイド入口導入部１８ａ１を挟み込むように略コの字形状に形成されている（図５および図６参照）。
【００１９】
図８において、ドレンパン吹出風路側側壁５ａ１にエアーガイド１８が取付けられた状態におけるドレンパン５のドレンパン樋部５ａの底面からエアーガイド１８の最上端までの高さＭ１、略四角形状のドレンパン５の外側風路壁１０ｆ１のうちドレンパン吹出部５ｂを除くドレンパン角部５ｃのドレンパン底面からの高さＭ２、ドレンパン吹出部５ｂに相当する外側風路壁１０ｆ１のドレンパン底面からの高さＭ３、の関係が、少なくとも「Ｍ２＞Ｍ１」であって、エアーガイド１８がドレンパン角部５ｃよりも低くなり、かつ４箇所のドレンパン角部５ｃは同じ高さとなるようにドレンパン５の外側風路壁１０ｆ１が形成されている。
また、図８では、さらに「Ｍ１≧Ｍ３」となるように形成され、本体断熱材１０ｅとドレンパン５が凸凹状にかみあうように形成されている。
【００２０】
そして、図２のようにエアーガイド長手方向両端部１８ｅは本体吹出口１０ｄの長手方向端部となるドレンパン吹出部５ｂのドレンパン吹出部端部側面５ｂ２に対し所定距離Ｌ４離れた位置に形成されている。
【００２１】
（風流れ）
このように構成された空気調和機１００において、ターボファン１が回転すると、部屋９０の空気が化粧パネル１１の吸込グリル１１ａ、フィルタ１２を通過し除塵され（図１参照）、本体吸込口１０ｃ、ベルマウス１４を通過後ターボファン１に吸込まれ（図３参照）、ターボファン１から放射状に下流側の熱交換器１６へ向け吹出される（図２参照）。そして、熱交換器１６において暖房または冷房等の熱交換や除湿がされた空気は、熱交換器１６から本体吹出口１０ｄにかけてエルボ形状の吹出風路１０ｆを通り、連通するパネル吹出口１１ｂから部屋９０へ向け風向ベーン１３によって風向制御されながら吹出され空調が行われる（図３および図４参照）。
【００２２】
また、図４において、吹出風路１０ｆでは、ターボファン１から吹出し直後、熱交換器１６を通過し吹出風路１０ｆへ流入する主流Ｃ１が形成される。さらに、ターボファン１から吹出直後に熱交換器１６を通過することができずに、ターボファン１のファン吹出口１ｂの下方のターボファン１と熱交換器１６との間のファン吹出風路２内を旋回しながら、熱交換器１６を通過する副流Ｃ２が形成される。そして、主流Ｃ１と副流Ｃ２とは合流して本体吹出口１０ｄへ向かって流れる。
このとき、副流Ｃ２は、熱交換器１６を通過し吹出風路１０ｆへ向かう副流Ｃ２１と、凹状のドレンパン樋部５ａを通りドレンパン樋部のドレンパン吹出風路側側壁５ａ１をドレンパン側壁最上端５ａ３に向け増速する上昇流れである副流Ｃ２２と、を総称するものであって、エアーガイド１８の内側風路Ｂ１で副流Ｃ２１の一部と副流Ｃ２２とはエアーガイド１８で合流、整流される。また、エアーガイド１８のエアーガイド外側壁面１８ｆで残りの副流Ｃ２１が整流されつつ、主流Ｃ１とともに本体吹出口１０ｄを通りパネル吹出口１１ｂより部屋９０へ吹き出され、空調される。
【００２３】
このように形成されたエアーガイド１８において、エアーガイド入口導入部１８ａは、ファン側板３のファン吹出口１ｂのファン吹出口下端部１ｂａより下方に位置しているため、熱交換器１６に向かってターボファン１より直接送風され、ターボファンの通風抵抗に寄与する主流Ｃ１に対し通風抵抗とならない。
また、エアーガイド入口導入部１８ａは、水平方向で熱交換器下流側表面１６ａから所定距離Ｌ１だけ離れ、鉛直方向でドレンパン樋部５ａのドレンパン吹出風路側側壁５ａ１のドレンパン側壁最上端５ａ３から上方(本体天板１０ａの方向）に所定距離Ｈ１だけ離れ、ドレンパン樋部５ａ相当部から略水平に延出した平坦な形状であるから、ドレンパン樋部５ａからドレンパン側壁最上端５ａ３に向かいドレンパン表面を増速しながら上昇する流れ副流Ｃ２２により熱交換器１６を通過してきた流れを上方へ押しやられなくなるため、副流Ｃ２２によるドレンパン側壁最上端５ａ３での剥離渦およびドレンパン５のドレンパン吹出風路側側壁５ａ１の表面での剥離渦を抑制することができる。
【００２４】
さらに、エアーガイド入口導入部１８ａは、入口先端部１８ａ１から水平方向でドレンパン樋部５ａのドレンパン吹出風路側側壁５ａ１の最上端部５ａ３に相当する位置まで平坦形状であるため、ドレンパン樋部５ａから風路側側壁５ａ１で上昇する流れ副流Ｃ２２と、熱交換器１６を通過しエアーガイド１８へ流入する流れ副流Ｃ２１とが合流する際、急激に変向されない。したがって、前記平坦部が助走区間としエアーガイドコーナー部１８ｂおよびエアーガイド吹出部１８ｃへ流入する前に徐々に整流でき、合流時の乱れによる騒音を抑制することができる。
なお、成形時に多少の反りが生じ、波打った形状となっても上記効果の変化は小さい。
【００２５】
また、部品としてドレンパン５を積み重ね保管する時、ドレンパン５に対しエアーガイド１８が平坦面で接するため、エアーガイド１８がドレンパン５を突き刺すことがなく部品品質が確保される。例えば１０ｍｍ以上であれば、前記整流効果とドレンパン５の破損防止が可能である。
さらに、熱交換器１６とエアーガイド入口導入部１８ａ１が離れているため、凝縮水が直接伝わる場合や、熱交換器１６から直接伝熱して冷却されたエアーガイド１８自体が結露する場合、結露水（露）が部屋９０へ滴下することが防止される。例えば、２ｍｍ以上離れれば、仮に、熱交換器下流側表面１６ａを水滴が伝わってもエアーガイド１８に滴下せず、５ｍｍ以上離れれば、確実に滴下の回避が可能である。  
【００２６】
また、熱交換器１６に面するエアーガイド入口導入部１８ａ１は長手方向に延出する略円弧状に形成されているため、エアーガイド入口導入部１８ａ１における局所圧力変動が緩和され、剥離も抑制される。また、図６のように円柱状に形成した場合、さらにエアーガイド１８の強度が増加可能である。
【００２７】
そして、エアーガイドコーナー部１８ｂは断面円弧形状のため、エアーガイド１８のドレンパン５側であるエアーガイド内側壁面１８ｇでエアーガイド入口導入部１８ａからの風流れである副流Ｃ２１および副流Ｃ２２を整流しつつ、なめらかにエアーガイド吹出部１８ｃへ導風することができる。さらに、エアーガイド１８のエアーガイド外側壁面１８ｆでは熱交換器１６から通過した流れである副流Ｃ２１をコアンダー効果により滑らかに剥離せずエアーガイド吹出部１８ｃへ導風することができる。
【００２８】
さらに、エアーガイド吹出部１８ｃは、吹出風路１０ｆのドレンパン樋部５ａのドレンパン吹出風路側側壁５ａ１寄りに所定距離Ｌ２だけ離れた位置に本体吹出口１０ｄへ向け、ドレンパン吹出部５ｂのドレンパン吹出部側壁表面５ｂ１と略平行となるように延出しているため、エアーガイド内側壁面１８ｇの流れがドレンパン側壁との隙間でさらに整流され、また、エアーガイド外側壁面１８ｆでは主流Ｃ１と副流Ｃ２１が整流し合流できる。
また、高さ方向でドレンパン樋部５ａとドレンパン樋部５ａのドレンパン側壁最上端部５ａ３との間のドレンパン吹出風路側側壁５ａ１の吹出風路１０ｆ側面に、吹出口短手寸法が拡大する方向の段差５ｄを有し、エアーガイド吹出部１８ｃのエアーガイド吹出部出口側端部１８ｃ１は段差５ｄと略同じ高さとなるように形成されたものであるため、エアーガイド１８から出た直後、段差５ｄにより負圧が生成されるため、ドレンパン表面へ流れが誘引され、ドレンパン表面でのせん断乱れが低減され、低騒音化が図られている。
【００２９】
以上の結果、エアーガイド１８により、吹出流れ全体が整流され下流側のパネル吹出口１１ｂへ流入する。このため、パネル吹出口１１ｂに配設される風向ベーン１３に圧力変動が与えられないから、低騒音化を図ることができ、かつ、従来剥離により縮小していた有効吹出面積が拡大されるから、通風抵抗を低減することができる。
【００３０】
また、図８のようにエアーガイド入口導入部１８ａとドレンパン樋部５ａのドレンパン吹出風路側側壁５ａ１のドレンパン側壁最上端５ａ３との距離Ｈ１が、ドレンパン吹出風路側側壁５ａ１とエアーガイド吹出部１８ｃとの最近接距離Ｌ２、ドレンパン吹出風路側側壁５ａ１とエアーガイドコーナー部１８ｂとの最近接距離Ｌ３が、「Ｈ１＞Ｌ３≧Ｌ２」と少なくともエアーガイド入口導入部１８ａからエアーガイドコーナー部１８ｂで徐々に縮小するように形成されているため、ドレンパン近傍の副流Ｃ２１および副流Ｃ２２を徐々に縮流し、効率良く乱れを減衰することができるため、エアーガイド１８とドレンパン吹出風路側側壁５ａ１とで囲まれるエアーガイド内風路１８ｈの通風抵抗を減少することができる。
以上のように通風抵抗が低減できるため、モータ動力が減少し省エネ可能である。
【００３１】
そして、エアーガイド１８から延出したエアーガイド取付部１８ｄにおいて、ドレンパン吹出風路側側壁５ａ１に固着されているため、ドレンパン５とエアーガイド１８の位置関係が保たれ、効果のバラツキが抑制され、品質が安定する。
また、エアーガイド１８は長手方向の両端部にエアーガイド長手方向両端部１８ｅを有しているため、エアーガイド内風路１８ｈとその他の風路とが分離するように形成され、かつ、エアーガイド長手方向両端部１８ｅはドレンパン吹出風路側側壁５ａ１を挟み込むように略コの字形状に形成されるため、エアーガイド１８の側方から流入する流れに影響されず副流Ｃ２２を整流することができるため、整流効果が安定し、低騒音効果が得られる。
さらに、エアーガイド長手方向両端部１８ｅとドレンパン吹出風路側側壁５ａ１との密着面が広いため、仮に、エアーガイド１８に応力がかかっても脱落、破損が困難になっている。
また、エアーガイド入口導入部１８ａに対しエアーガイド取付部入口先端部１８ｄ１は熱交換器１６側へ突出していないため、熱交換器１６からの直接伝熱がなく、エアーガイド入口導入部１８ａにおける結露が防止され、品質が確保される。
【００３２】
さらに、エアーガイド１８がドレンパン５のドレンパン吹出風路側側壁５ａ１に取付けられた状態における高さＭ１、ドレンパン吹出部５ｂの外側風路壁１０ｆ１のうちドレンパン角部５ｃの高さＭ２、ドレンパン角部５ｃ以外の外側風路壁１０ｆ１の高さＭ３と、が略同一の場合（Ｍ１≒Ｍ２≒Ｍ３）、エアーガイド１８を取付けた状態でドレンパン５を部品として積み重ね保管、輸送するとき、隣合うドレンパン５同士が外側風路壁１０ｆ１と平担なエアーガイド入口導入部１８ａの広い面で接触し、エアーガイド１８とドレンパン５とで面接触する時に比べ応力が分散されるため、たくさん積み重ねても破損せず、トラック等でたくさん積み込むことができ、輸送効率が高くなる。
【００３３】
また、ドレンパン５の外側風路壁１０ｆ１の高さＭ２および高さＭ３は、ドレンパン側壁にエアーガイド１８が取付けられた状態における高さＭ１に対し、高くなるように形成した場合、エアーガイド１８が非常に薄肉・軽量に形成されて積み重ね強度が低くなっても、たくさん積み重ねることができ、輸送効率が高くなる。  
さらに、前記高さが「Ｍ２＞Ｍ１＞Ｍ３」となるようにドレンパン角部５ｃおよび外側風路壁１０ｆ１は形成され、ドレンパン５と本体断熱材１０ｅとは凸凹状にかみ合い、ドレンパン吹出風路側側壁５ａ１と共に吹出風路１０ｆが形成された場合、ドレンパン５を部品として積み上げ保管するとき、エアーガイド１８がドレンパン５に当たらず、仮に当たってもエアーガイド入口導入部１８ａは略水平に平坦形状なため、破損がさらに防止され、さらに本体断熱材１０ｅとドレンパン５との位置決めがし易く、製品間の省エネのバラツキ、低騒音効果のバラツキを、小さく抑制することができる。
【００３４】
そして、図６のように、エアーガイド１８のエアーガイド外側壁面１８ｆには、長手方向に複数の凹状の溝６が形成され、溝６は、エアーガイド入口導入部１８ａからエアーガイド吹出部１８ｃにかけ延出しているため、エアーガイド外側壁面１８ｆを通る流れである副流Ｃ２１は溝６に沿って案内され（直進性が得られ）、さらに整流される。
【００３５】
また、図２のようにエアーガイド長手方向両端部１８ｅは、本体吹出口１０ｄの長手方向端部となるドレンパン吹出部５ｂのドレンパン吹出部端部側面５ｂ２に対し所定距離Ｌ４だけ離れた隙間Ｄを有する位置に形成されているため、ドレンパン吹出部端部側面５ｂ２より本体吹出口１０ｄへ流入する流れはエアーガイド長手方向両端部１８ｅに設けられたエアーガイド取付部１８ｄで変向、整流される。
【００３６】
つまり、エアーガイド１８を配設することによって、空気調和機１００では、吹出風路全体の剥離を抑制することができ、かつ、有効風路を拡大することができる。
このため、吹出風路の圧力損失が低減され、かつ、風速が低減されるため、ファンモータの消費動力の低減により省エネ化を図ることができ、騒音を低減することができる。また、本体の組立てにバラツキがある場合でも、前記効果の変動が最少に抑制されると共に、エアーガイドやドレンパン等の破損が防止される。さらに、エアーガイドの結露を防止することができる。
以上の結果、本発明の実施の形態１に係る空気調和機１００は、エアーガイド１８を有することによって、省エネ、低騒音、高品質を達成することができる。
【００３７】
［実施の形態２：天井埋込形空気調和機］ 
以下、本発明の実施の形態２に係る天井埋込形空気調和機について図を用いて説明する。なお、各図において、実施の形態１と同じ部分または相当する部分には同じ符号を付している。
図９〜１５は本発明の実施の形態２に係る天井埋込形空気調和機を説明するものであって、図９は部屋設置時の外観図、図１０は図９に示す天井埋込形空気調和機の水平断面図、図１１は図９に示す天井埋込形空気調和機の縦断面図（図１０に示す水平断面図のＸ−Ｘ断面における断面図）、図１２は図１０の一部（吹出風路）の部分拡大図、図１３は図１１の一部（エアーガイド付近）の部分拡大図、図１２は図１１に示すエアーガイドをエアーガイド内側壁面から見た斜視図、図１４は図１１に示すエアーガイドをエアーガイド外側壁面側から見た斜視図、図１５は図９に示す天井埋込形空気調和機の部分（ドレンパン）を示す縦断面図（図９に示す水平断面図のＸ−Ｏ−Ｙ−Ｚ断面における断面図）、図１６および図１７はエアーガイドのその他の実施例を示すエアーガイド内側壁面から見た斜視図およびエアーガイド外側壁面側から見た斜視図である。
【００３８】
図９および図１０に示す天井埋込形空気調和機（以下、「空気調和機」と称す）２００において、熱交換器１６から本体吹出口１０ｄにかけてエルボ状の吹出風路１０ｆが形成されている。吹出風路１０ｆにおいて、ドレンパン５の近傍に配設されたエアーガイド１８は、図１３および図１４に示すように長手方向で縦断面形状が異なり、吹出風路１０ｆのドレンパン側壁近傍に配設されるエアーガイド１８のエアーガイド入口導入部１８ａとドレンパン５の最上端５ａ３との高さＨ１（図１２参照）が、熱交換器１６とターボファン１の最近接点１６ｂを基準にして、ターボファン回転方向Ａの下流側１６ｄに対し上流側１６ｃが高くなるように形成されている（図９および図１３参照）。
また、エアーガイド吹出部出口側端部１８ｃ１にはせん断乱れ抑制手段である略三角形の切欠部７が長手方向に複数（略櫛状に）形成されている（図１３、図１４参照）。
【００３９】
空気調和機２００は、このようなエアーガイド１８において、エアーガイド入口導入部１８ａのドレンパン側壁最上端５ａ３との高さＨ１が、本体吹出口長手方向で異なるように形成されているため、ドレンパン吹出風路側側壁５ａ１における剥離抑制、主流の風速分布に対応して細かく流れが制御され、有効風路の拡大による省エネ効果や低騒音化効果が図られている。
【００４０】
また、ターボファン１は、立設する熱交換器１６に対し水平方向に回転方向Ａで回転し、吹出風路１０ｆのドレンパン吹出風路側側壁５ａ１に配設されるエアーガイド入口導入部１８ａのドレンパン側壁最上端５ａ３との高さＨ１を、回転方向上流側の方が回転方向下流側よりも高くすることで、剥離が大きい回転方向上流側のエアーガイド内部通過風量を増加させ、主流とエアーガイド内部通過流れとの風速差を抑制することで、エアーガイド吹出部出口におけるせん断乱れを抑制し、低騒音を達成している。
なお、回転方向下流側部１６ｄは、熱交換器１６とターボファンとの最近接点１６ｂを基準にターボファン１から螺旋状に吹出した主流Ｃ１と熱交換器１６のアルミフィン１６ｅとの角度差αが小さく熱交換器通過風量が相対的に大きく風速も高く、ドレンパン吹出風路側側壁５ａ１での剥離が大きな回転方向上流側部１６ｃと、相対的に熱交換器通過風量が小さく風速も低くなっている。
【００４１】
さらに、エアーガイド吹出部出口側端部１８ｃ１に略三角形の切欠部７を長手方向に複数形成したものであるため、エアーガイド外側壁面１８ｆ及びエアーガイド内側壁面１８ｇの流れが徐々に合流されるため、せん断乱れが緩和される、さらに整流され騒音の低減効果が得られる。なお、切欠部７の形状が略四角形（図１６および図１７参照）でも、略三角形でも同様な効果が得られる。
【００４２】
なお、実施の形態１における空気調和機１００のエアーガイド１８において、エアーガイド吹出部１８ｃのエアーガイド吹出部出口側端部１８ｃ１に、本実施の形態２における空気調和機２００と同様に少なくとも切欠部７を形成すれば同様の効果を得ることができる。
以上の結果、空気調和機２００では、さらに大きな省エネ効果と、騒音低減効果を得ることができる。
【００４３】
なお、空気調和機２００では、一つの吹出口において、入口高さＨ１が吹出口長手方向で異なるエアーガイドを一つ配設する場合（入口高さＨ１が２水準）について示したが、ターボファン１と熱交換器１６の最近接点１６ｂに対し、上流側、下流側で異なる入口高さＨ１のエアーガイド１８ｊ、１８ｋを計２つ配設した場合（入口高さＨ１が合計４水準）、吹出口の風速分布が吹出口で異なる場合でもそれぞれに細かく適した形状、配置ができ、さらに低騒音化が可能である。
【００４４】
さらに、図１７に示すエアーガイド入口導入部１８ａの入口先端部１８ａ１が、高さ方向に波状に形成した場合、熱交換器１６らの流入流れが入口先端部１８ａ１に衝突しても局所圧力変動が干渉され、低騒音化を図ることができる。
さらに、入口先端部１８ａ１からエアーガイド吹出部出口側端部１８ｃ１にかけ全体に波状に形成した場合、図１７の波形状、図６に示した溝６、図１３に示した切欠部７のそれぞれの整流効果が得られ、省エネ効果や、低騒音化効果を図ることができ、積み重ね時も隣合うドレンパンと鋭角状に接さないため、破損を防止することができる。
【００４５】
［発明の整理］
以上、実施の形態１および実施の形態２において説明されている本発明は、以下の（２）以降のように整理されるものである。
（２）前記エアーガイドのエアーガイド入口導入部の高さが、前記ドレンパンの長手方向において、相違することを特徴とする。したがって、エアーガイドが本体吹出口長手方向において、エアーガイド入口導入部とドレンパン側壁最上端との高さが異なり、かつ本体吹出口へ向け延出した形状であるため、ドレンパン側壁での剥離抑制、主流の風速分布に対応し細かく流れを制御でき、有効風路の拡大により通風抵抗の低減や騒音の低減を図ることができる。
【００４６】
（３）前記エアーガイドのエアーガイド吹出部は、前記ドレンパン吹出風路側側壁と所定距離だけ離れた位置に前記本体側板と略平行となる下方に向かって延設され、
前記エアーガイドのエアーガイドコーナー部が、前記本体側板に向かって凸となる単一円弧状曲面または複数円弧状曲面に形成されてなることを特徴とする。
したがって、エアーガイドコーナー部は滑らか（例えば、円弧形状）なため、エアーガイドのドレンパン側表面で入口導入部からの流れを整流しつつ、なめらかにエアーガイド吹出部に導風でき、かつエアーガイドのエアーガイド外側壁面では熱交換器から通過した流れをコアンダー効果により滑らかに剥離せずエアーガイド吹出部へ導風することができる。
さらに、エアーガイド吹出部は、吹出風路のドレンパン側壁寄りのドレンパン側壁と所定距離だけ離れた位置に、本体吹出口へ向け本体外壁と略平行となるように延出しているため、エアーガイドコーナー部からの流れがドレンパン側壁との隙間でさらに整流され、また、エアーガイドと吹出風路の外壁との距離が一定となることで熱交換器のエアーガイド上方部分から本体吹出口の面積縮小エルボ状の吹出風路を流れる際、熱交換器上方からの流れも整流される。つまり、吹き出し流れ全体が整流され下流側のパネル吹出口へ流入するため、パネル吹出口に配設される風向ベーンに圧力変動を与えず低騒音化を図ることができる。
また、エアーガイドから延出した取付部でドレンパン側壁に固着されているため、ドレンパンとエアーガイドの位置関係が保たれ、効果のバラツキを抑制できる。
つまり、エアーガイドを配設することで、吹出風路全体の剥離を抑制でき、有効風路を拡大できるため、吹出風路の圧力損失が低減し、かつ、風速も低減できるのでファンモータ動力の低減により省エネ化を図ることができる。また、騒音を低減することができると共に、本体組立てのバラツキによる効果の変動も抑制することができる。
よって、省エネ、低騒音、高品質な天井埋込形空気調和機を得ることができる。
【００４７】
（４）前記エアーガイド入口導入部の入口先端部と前記ドレンパン吹出風路側側壁の上端との距離（Ｈ１）が、前記ドレンパン吹出風路側側壁の前記エアーガイド側の表面と前記エアーガイド吹出部の前記ドレンパン側の表面との最近接距離（Ｌ２）、および前記ドレンパン吹出風路側側壁の前記エアーガイド側の表面と前記エアーガイドコーナー部の前記ドレンパン側の表面との最近接距離（Ｌ３）に比べ広くなるように（Ｈ１＞Ｌ２、且つ、Ｈ１＞Ｌ３）形成されてなることを特徴とする。
したがって、エアーガイド入口導入部とドレンパン側壁最上端との距離がドレンパン側壁の吹出風路側表面とエアーガイド吹出部、コーナー部とのそれぞれとの最近接距離に比べ広くなるように形成したものであるため、ドレンパン近傍の副流を徐々に縮流するから、効率よく乱れを減衰しエアーガイドとドレンパン側壁で囲まれる風路の通風抵抗の増加をさらに抑制することができる。よって、省エネ効果を奏する天井埋込形空気調和機を得ることができる。
【００４８】
（５）前記ターボファンは、前記熱交換器に対し積幅方向の水平方向に回転し、
前記エアーガイドのエアーガイド入口導入部の高さが、前記熱交換器と前記ターボファンの最近接点を基準にして前記ターボファンの回転方向上流側の方が、回転方向下流側よりも高くなるように形成されてなることを特徴とする。
したがって、ターボファンは立設する熱交換器に対し積幅方向の水平方向に回転し、吹出風路のドレンパン側壁近傍に配設されるエアーガイドの入口導入部のドレンパン側壁最上端との高さが、熱交換器とターボファンの最近接点を基準にターボファン回転方向下流側に対し上流側が高くなるように形成されたものであるため、ターボファンから螺旋状に吹出した流れと熱交換器フィンとの角度差が小さく熱交換器通過風量が相対的に大きく風速も高く、ドレンパン側壁での剥離が大きな回転方向上流側部分と、相対的に熱交換器通過風量が小さく風速も低く、ドレンパン側壁での剥離が小さな回転方向下流側部分で、エアーガイドの入口部のドレンパン側壁最上端との高さを回転方向上流側の方が回転方向下流側よりも高くすることで、副流のエアーガイド内部を通過する風量を変更し、主流とエアーガイド内部通過流れとの風速差を抑制することでエアーガイド吹出部出口におけるせん断乱れを抑制し低騒音な天井埋込形空気調和機が得られる。
【００４９】
（６）前記エアーガイドに、前記エアーガイドを前記ドレンパン吹出風路側側壁に設置するためのエアーガイド取付部が、前記エアーガイドの長手方向の少なくとも両端部に設けられ、
該エアーガイド取付部は水平方向で、前記エアーガイド入口導入部の入口先端部よりも前記熱交換器側に突出することがなく、且つ、該エアーガイド取付部と前記エアーガイドと前記ドレンパン吹出風路側側壁とによって囲まれた風路が形成されてなることを特徴とする。
したがって、吹出風路のドレンパン側壁近傍に配設されるエアーガイドから延出するドレンパン側壁に固着するための取付部は、エアーガイド入口導入部の入口側端部から熱交換器側へ突出することがないため、熱交換器から直接伝熱しないので結露が防止できる。また、少なくともエアーガイドの長手方向両端部に有し、エアーガイドとドレンパン側壁とで囲まれる風路とその他の風路を分離するように形成したため、エアーガイド側方から流入する流れに影響されずに副流を整流できるから、整流効果が安定し、低騒音効果が得られる。また、エアーガイドとドレンパン側壁との固着ミスが万一あっても、エアーガイド取付部がドレンパン側壁に密着しているので脱落しづらい。よって、高品質で、低騒音な天井埋込形空気調和機が得られる。
【００５０】
（７）前記エアーガイドのエアーガイド入口導入部は水平方向で、前記入口側端部から前記ドレンパン吹出風路側側壁の最上端部の直上に相当する位置まで平坦形状であることを特徴とする。したがって、エアーガイド入口導入部は、入口側端部から水平方向でドレンパン樋部の吹出風路側側壁の最上端部に相当する位置まで平坦形状であるため、ドレンパン樋部から風路側側壁で上昇する流れと熱交換器を通過しエアーガイドへ流入する流れが合流する際、急激に変向されず、前記平坦部が助走区間としコーナー部、吹出部へ流入する前に徐々に整流でき、合流時の乱れによる騒音を抑制できる。
また、部品としてドレンパンを積み重ね保管する時、ドレンパンに対しエアーガイドが平坦面で接するのでエアーガイドがドレンパンを突き刺すことがなく部品品質が確保できる。よって、高品質で低騒音な天井埋込形空気調和機が得られる。
【００５１】
（８）前記エアーガイドの長手方向の端部は、前記ドレンパンの吹出部の長手方向の端部に対し所定距離の隙間を形成するように離れて配設されたことを特徴とする。
したがって、エアーガイド長手方向両端部はドレンパン吹出部の端部側面に対し所定距離離れた隙間を有する位置に形成されているため、前記端部側面より本体吹出口へ流入する流れはエアーガイド長手方向両端部に設けられた取付部で変向、整流されることで乱れが抑制される。よって、低騒音な天井埋込形空気調和機が得られる。
【００５２】
（９）前記ドレンパン吹出風路側側壁の前記エアーガイド吹出部に対峙する上端寄りの面に対し、前記ドレンパン吹出風路側側壁の前記エアーガイド吹出部に対峙しない下端寄りの面が前記熱交換器寄りに形成され、
前記上端寄りの面と前記下端寄りの面との間に略水平な段差が形成されてなることを特徴とする。
したがって、高さ方向でドレンパン樋部とドレンパン樋部の風路側側壁最上端部との間のドレンパン吹出風路側側壁の吹出風路側面に吹出口短手寸法が拡大する方向の段差を有し、エアーガイド吹出部の出口側端部は前記段差と略同じ高さとなるように形成されたものであるため、エアーガイドから出た直後、段差により負圧が生成されるため、ドレンパン表面へ流れが誘引されることで、ドレンパン表面でのせん断乱れが低減でき、低騒音化が図れる。
【００５３】
（１０）前記ドレンパンを形成する外側風路壁は、前記ドレンパン吹出風路側側壁に取付けられた状態の前記エアーガイドの前記エアーガイド入口導入部と、略同等の高さになるように形成されてなることを特徴とする。
したがって、ドレンパンの外側風路壁の高さは、ドレンパン側壁に取付けられた状態のエアーガイドと略同等高さとなるように形成したため、エアーガイドを取付けた状態でドレンパンを部品として積み重ね保管、輸送するとき、隣合うドレンパンが外側風路壁と平担なエアーガイド入口導入部の広い面で接触し、エアーガイドで接触する時に比べ応力が分散されるため、たくさん積み重ねてもエアーガイドやドレンパンが破損せず、トラックなどでたくさん積み込め輸送効率が高い。よって、品質が高く、省エネ効果を奏する天井埋込形空気調和機が得られる。
【００５４】
（１１）前記ドレンパンを形成する外側風路壁は、前記ドレンパン吹出風路側側壁に取付けられた状態の前記エアーガイドの前記エアーガイド入口導入部よりも高くなるように形成されてなることを特徴とする。
したがって、ドレンパンの外側風路壁の高さは、ドレンパン側壁に取付けられた状態のエアーガイドに対し高くなるように形成したため、エアーガイドが非常に薄肉・軽量に形成され積み重ね強度が低くても、たくさん積み重ねられ輸送効率が高い。よって、省エネ効果を奏する天井埋込形空気調和機が得られる。
【００５５】
（１２）前記ドレンパンの４つの角部が、前記ドレンパン吹出風路側側壁に取付けられた状態の前記エアーガイドに対し、同等高さになるように、またはより高くなるように形成され、
かつ、前記ドレンパンの４つの角部以外の外側風路壁は、前記エアーガイド入口導入部よりも低くなるように形成され、
前記ドレンパンを形成する外側風路壁と、前記本体側板に設置された本体断熱材とが、凸凹状にかみ合うように形成されてなることを特徴とする。
したがって、ドレンパンの４つの角部の高さがドレンパン側壁に取付けられた状態のエアーガイドに対し同等以上となるように形成し、かつドレンパン角部以外の外側風路壁はエアーガイド入口導入部よりも低く、外側風路壁と本体断熱材は凸凹状にかみ合うように形成したため、ドレンパンを部品として保管し積上げる際、隣り合うドレンパンでエアーガイドは接触しないため、さらに破損の心配がなく、また本体外壁とドレンパンとの位置決めができ、製品間の省エネ、低騒音の効果バラツキが抑制され品質が安定した天井埋込形空気調和機が得られる。
【００５６】
（１３）前記エアーガイドの少なくとも前記本体側板側の面に、前記エアーガイド入口導入部から前記エアーガイド吹出部にかけて溝が形成されてなることを特徴とする。
したがって、吹出風路のドレンパン側壁近傍に配設されるエアーガイドの少なくとも吹出風路側面の表面にエアーガイド入口導入部からエアーガイド吹出部にかけ延出する溝が形成されたものであるため、エアーガイド表面で長手方向の速度成分が抑制されるため、下流側の風向ベーンへの流れが安定し低騒音な天井埋込形空気調和機が得られる。
【００５７】
（１４）前記エアーガイドの吹出部の出口側端部に、矩形または略三角形の切欠きが形成されてなることを特徴とする。
したがって、吹出風路のドレンパン側壁近傍に配設されるエアーガイドの吹出部の出口側端部に矩形または略三角形の切欠きを形成したものであるため、エアーガイド内部流れとエアーガイドの外壁側面の流れが吹出部出口で合流する時、速度差を緩衝できるのでせん断乱れが抑制でき、安定した流れを下流側の風向ベーンへ供給できるので低騒音効果を奏する天井埋込形空気調和機が得られる。
【００５８】
（１５）前記ドレンパン吹出風路側側壁の長手方向に沿って、２以上の前記エアーガイドが配設されてなることを特徴とする。
したがって、一つの吹出口に長手方向に少なくとも２つのエアーガイドを配設したものであるため、風速分布が吹出口で異なる場合でもそれぞれに適した形状にでき、さらに低騒音化可能である。
【００５９】
（１６）前記エアーガイド入口導入部の入口先端部が、長手方向にわたり断面略円弧形状に形成されてなることを特徴とする。
したがって、吹出風路のドレンパン側壁近傍に配設されるエアーガイドの入口導入部の入口側端部は長手方向にわたり略円弧形状に形成されたものであるため、エアーガイド入口導入部での局所圧力変動が緩和され、かつ剥離も抑制される。また円柱状に形成した場合、さらにエアーガイドの強度も向上することで破損も防止でき、低騒音、高品質な空気調和機が得られる。
（１７）前記エアーガイド入口導入部の入口先端部が、長手方向にわたり高さ方向で波形に形成されてなることを特徴とする。
【産業上の利用可能性】
【００６０】
本発明は以上の構成であるから、エアーガイドを設置することによって、結露を防止すると共に、低騒音化や省エネを図ることができるため、各種天井埋設形空気調和機として広く利用することができる。
【図面の簡単な説明】
【００６１】
【図１】本発明の実施の形態１に係る天井埋込形空気調和機の部屋設置時の外観図。
【図２】図１に示す天井埋込形空気調和機の水平断面図。
【図３】図１に示す天井埋込形空気調和機の縦断面図。
【図４】図３の一部（吹出風路）の部分拡大図。
【図５】図４の一部（エアーガイド付近）の部分拡大図。
【図６】図５に示すエアーガイドをエアーガイド内側壁面から見た斜視図。
【図７】図５に示すエアーガイドをエアーガイド外側壁面側から見た斜視図。
【図８】図１に示す天井埋込形空気調和機の部分（ドレンパン）を示す縦断面図。
【図９】本発明の実施の形態２に係る天井埋込形空気調和機の部屋設置時の外観図。
【図１０】図９に示す天井埋込形空気調和機の水平断面図。
【図１１】図９に示す天井埋込形空気調和機の縦断面図。
【図１２】図１０の一部（吹出風路）の部分拡大図。
【図１３】図１１に示すエアーガイドをエアーガイド内側壁面から見た斜視図。
【図１４】図１１に示すエアーガイドをエアーガイド外側壁面から見た斜視図。
【図１５】図９に示す天井埋込形空気調和機の部分（ドレンパン）を示す縦断面図。
【図１６】エアーガイドのその他の実施例を示す内側壁面から見た斜視図。
【図１７】エアーガイドのその他の実施例を示す外側壁面から見た斜視図。
【符号の説明】
【００６２】
１：ターボファン、１ａ：ファン吹出口、１ｂ：ファン吹出口、１ｂａ：ファン吹出口下端部、２：ファン吹出風路、３：ファン側板、５：ドレンパン、５ａ：ドレンパン樋部、５ａ１：ドレンパン吹出風路側側壁、５ａ３：ドレンパン側壁最上端、５ｂ：ドレンパン吹出部、５ｂ１：ドレンパン吹出部側壁表面、５ｂ２：ドレンパン吹出部端部側面、５ｃ：ドレンパン角部、５ｄ：段差、６：溝、７：切欠部、１０：本体、１０ａ：本体天板、１０ｂ：本体側板、１０ｃ：本体吸込口、１０ｄ：本体吹出口、１０ｅ：本体断熱材、１０ｆ：吹出風路、１０ｆ１：外側風路壁、１１：化粧パネル、１１ａ：吸込グリル、１１ｂ：パネル吹出口、１２：フィルタ、１３：風向ベーン、１４：ベルマウス、１５：ファンモータ、１６：熱交換器、１６ａ：熱交換器下流側表面、１６ｂ：ファンと熱交換器との最近接点、１６ｃ：ターボファン回転方向Ａの上流側、１６ｄ：ターボファン回転方向Ａの下流側、１６ｅ：アルミフィン、１８：エアーガイド、１８ａ：エアーガイド入口導入部、１８ａ１：入口先端部、１８ｂ：エアーガイドコーナー部、１８ｃ：エアーガイド吹出部、１８ｃ１：エアーガイド吹出部出口側端部、１８ｄ：エアーガイド取付部、１８ｄ１：エアーガイド取付部入口先端部、１８ｅ：エアーガイド長手方向両端部、１８ｆ：エアーガイド外側壁面、１８ｇ：エアーガイド内側壁面、１８ｈ：エアーガイド内風路、１８ｊ：吹出口長手方向の回転方向上流側エアーガイド、１８ｋ：吹出口長手方向の回転方向下流側エアーガイド、９０：部屋、９１：天井、９２：天井裏、１００：空気調和機（実施の形態１）、２００：空気調和機（実施の形態２）、Ａ：回転方向、Ｂ１：内側風路、Ｂ２：外側風路、Ｃ１：主流、Ｃ２：副流、Ｃ２１：吹出風路へ直接流入する副流Ｃ２の一部、Ｃ２２：ドレンパン樋部を通り増速して上昇する副流Ｃ２の一部、Ｄ：隙間、Ｈ：本体高さ、Ｈ１：ドレンパン樋部５ａのドレンパン側壁最上端５ａ３からの高さ、Ｌ１：熱交換器１６の熱交換器下流側表面１６ａからの距離、Ｌ２：エアーガイド吹出部１８ｃとドレンパン吹出風路側側壁５ａ１との距離、Ｌ３：エアーガイドコーナー部１８ｂとドレンパン吹出風路側側壁５ａ１との距離、Ｌ４：エアーガイド長手方向両端部１８ｅとドレンパン吹出部端部側面５ｂ２に対する距離、Ｍ１：エアーガイド１８の取付けられた状態での高さ、Ｍ２：ドレンパン角部５ｃの高さ、Ｍ３：ドレンパン角部５ｃ以外の高さ。
【図１】
2010038490.tif 000003
【図２】
2010038490.tif 000004
【図３】
2010038490.tif 000005
【図４】
2010038490.tif 000006
【図５】
2010038490.tif 000007
【図６】
2010038490.tif 000008
【図７】
2010038490.tif 000009
【図８】
2010038490.tif 000010
【図９】
2010038490.tif 000011
【図１０】
2010038490.tif 000012
【図１１】
2010038490.tif 000013
【図１２】
2010038490.tif 000014
【図１３】
2010038490.tif 000015
【図１４】
2010038490.tif 000016
【図１５】
2010038490.tif 000017
【図１６】
2010038490.tif 000018
【図１７】
2010038490.tif 000019